(57)【要約】【課題】受講希望者に講義を提供する機能を備えたシステムであって、講義を行う実務家にとってメリットのあるシステムを提供する。【解決手段】実務家端末５０、視聴者端末１０と通信可能に接続され、視聴者端末１０に動画を提供するサーバ１００であって、実務家に関する講義の動画データと、実務家のユーザデータと、実務家の講義を担当した対価に相当する講義担当費と、を互いに関係付けて記憶し、実務家端末５０が、視聴者の端末に表示させる当該実務家の広告情報の希望を受付け、広告情報の希望に関するデータを受信し、受信した希望に関するデータに基づいて、広告情報の希望に対応する広告情報費を算出し、該当する一の実務家の講義担当費から、算出した広告情報費を減算することで、一の実務家の所持金を算出する。【選択図】図１
2008090478.tif 000002
【特許請求の範囲】
【請求項１】
実務家が使用する実務家端末と、前記実務家による講義を予め撮影した動画の視聴を希望する視聴者の端末と、通信可能に接続され、前記視聴者の端末に動画を提供する情報提供サーバにおいて、
前記実務家に関する講義の動画データと、前記実務家のユーザデータと、前記実務家の講義を担当した対価に相当する講義担当費と、を互いに関係付けて記憶する実務家データ記憶部と、
前記実務家端末が、前記視聴者の端末に表示させる当該実務家の広告情報の希望を受付け、前記実務家端末が広告情報の希望に関するデータを前記情報提供サーバに送信したことに応じて、前記広告情報の希望に関するデータを受信する受信部と、
受信した前記希望に関するデータに基づいて、前記広告情報の希望に対応する広告情報費を算出する広告情報費算出部と、
該当する一の実務家の講義担当費から、算出した広告情報費を減算することで、前記一の実務家の所持金を算出する所持金算出部と、
前記所持金算出部が算出した当該所持金のデータを記憶する所持金記憶部と、
前記所持金記憶部が記憶した所持金のデータを、前記実務家端末からの要求に応じて、該当する実務家端末に送信する所持金送信部と、
を備える、情報提供サーバ。
【請求項２】
請求項１に記載の情報提供サーバであって、
通信可能に接続された管理者の端末から、前記一の実務家に対して講義を依頼する依頼データを受付け、受付けた依頼データを前記管理者の端末から受信し、前記依頼データに基づいて、前記講義担当費を決定する講義担当費決定部を備える、情報提供サーバ。
【請求項３】
請求項１又は２に記載の情報提供サーバであって、
前記実務家端末が、前記希望に関するデータとともに広告情報データを受付けて、受付けた広告情報データを、前記受信部が、前記実務家端末から受信したことに応じて、前記広告情報データを、前記視聴者の端末から閲覧可能に記憶する広告情報データ記憶部を備える、情報提供サーバ。
【請求項４】
実務家が使用する実務家端末と、前記実務家による講義を予め撮影した動画の視聴を希望する視聴者の端末と、通信可能に接続され、前記視聴者の端末に動画を提供する情報提供サーバが実行する方法であって、
前記実務家に関する講義の動画データと、前記実務家のユーザデータと、前記実務家の講義を担当した対価に相当する講義担当費と、を互いに関係付けて記憶するステップと、
前記実務家端末が、前記視聴者の端末に表示させる当該実務家の広告情報の希望を受付け、前記実務家端末が広告情報の希望に関するデータを前記情報提供サーバに送信したことに応じて、前記広告情報の希望に関するデータを受信するステップと、
受信した前記希望に関するデータに基づいて、前記広告情報の希望に対応する広告情報費を算出するステップと、
該当する一の実務家の講義担当費から、算出した広告情報費を減算することで、前記一の実務家の所持金を算出するステップと、
前記算出した当該所持金のデータを記憶するステップと、
前記記憶するステップにて記憶した所持金のデータを、前記実務家端末からの要求に応じて、該当する実務家端末に送信するステップと、
を備える、方法。
【発明の詳細な説明】
【技術分野】
【０００１】
本発明は、通信ネットワークを介して端末に情報を提供する情報提供サーバに関する。
【背景技術】
【０００２】
従来より、サーバが、インターネット等の通信回線を介して、端末となるコンピュータに、学習の内容を動画等で提供するサービスが知られている。
【０００３】
すなわち、自宅のコンピュータでＷＥＢブラウザ等を使用して、サーバから提供される教育サービスを受けるシステムが知られており、このような学習提供システムは、イーラーニングと呼ばれ、学生、社会人を問わず広く利用されている（例えば、特許文献１）。
【特許文献１】特開２００１−３５０３９７号公報
【発明の開示】
【発明が解決しようとする課題】
【０００４】
しかしながら、このような学習提供システムでは、講義の受講者にとってのメリットに着目したものに過ぎず、講義を行う者にとってのメリットに着目するという視点が欠けている。
【０００５】
近年では、学習提供システムにおいて、従来のように高校、大学受験等を控えた学生が受講する講義のみならず、実務の専門家である実務家が提供する講義を、一般社会人が、通信回線を介して視聴したいといったニーズがある。したがって、一般社会人に対して、実務家による、より良い講義を提供できることが望ましい。
【０００６】
このような、より良い講義を提供するためには、より質の高い実務家を獲得することが重要であるといった観点から、講義を行う者にとってメリットのあるシステムを提供することが、結果的に、より良い講義を提供することにつながるといった点に、本発明者らは着目した。
【０００７】
本発明は、受講希望者に講義を提供する機能を含んだ情報提供サーバであって、講義を行う実務家にとってメリットのある情報提供サーバを提供することを目的とする。
【課題を解決するための手段】
【０００８】
（１）実務家が使用する実務家端末と、前記実務家による講義を予め撮影した動画の視聴を希望する視聴者の端末と、通信可能に接続され、前記視聴者の端末に動画を提供する情報提供サーバにおいて、
前記実務家に関する講義の動画データと、前記実務家のユーザデータと、前記実務家の講義を担当した対価に相当する講義担当費と、を互いに関係付けて記憶する実務家データ記憶部と、
前記実務家端末が、前記視聴者の端末に表示させる当該実務家の広告情報の希望を受付け、前記実務家端末が広告情報の希望に関するデータを前記情報提供サーバに送信したことに応じて、前記広告情報の希望に関するデータを受信する受信部と、
受信した前記希望に関するデータに基づいて、前記広告情報の希望に対応する広告情報費を算出する広告情報費算出部と、
該当する一の実務家の講義担当費から、算出した広告情報費を減算することで、前記一の実務家の所持金を算出する所持金算出部と、
前記所持金算出部が算出した当該所持金のデータを記憶する所持金記憶部と、
前記所持金記憶部が記憶した所持金のデータを、前記実務家端末からの要求に応じて、該当する実務家端末に送信する所持金送信部と、
を備える、情報提供サーバを提供する。
【０００９】
（１）の情報提供サーバによれば、実務家に関する講義の動画データと、実務家のユーザデータと、実務家の講義を担当した対価に相当する講義担当費と、を互いに関係付けて記憶しておき、実務家端末が、視聴者の端末に表示させる当該実務家の広告情報の希望を受付け、実務家端末が広告情報の希望に関するデータを情報提供サーバに送信したことに応じて、広告情報の希望に関するデータを受信し、受信した希望に関するデータに基づいて、広告情報の希望に対応する広告情報費を算出し、該当する一の実務家の講義担当費から、算出した広告情報費を減算することで、一の実務家の所持金を算出し、算出した当該所持金のデータを記憶し、記憶した所持金のデータを、実務家端末からの要求に応じて、該当する実務家端末に送信する。
【００１０】
したがって、（１）の発明によれば、受講希望者（視聴者）に通信回線を介して講義を提供する情報提供サーバにおいて、講義を行う実務家が、自ら実施した講義の講義担当費や、自らの広告情報についての広告情報費の管理の利便性を高められることから、講義を行う実務家にとってメリットのある情報提供サーバを提供することができる。すなわち、この広告情報に関する費用と、実務家の講義による講義担当費とから、実務家の所持金のデータを算出することが可能である。
【００１１】
（２）（１）に記載の情報提供サーバであって、さらに、通信可能に接続された管理者の端末から、前記一の実務家に対して講義を依頼する依頼データを受付け、受付けた依頼データを前記管理者の端末から受信し、前記依頼データに基づいて、前記講義担当費を決定する講義担当費決定部を備える、情報提供サーバを提供する。
【００１２】
（２）の情報提供サーバによれば、（１）に記載の作用に加えて、さらに、通信可能に接続された管理者の端末から、一の実務家に対して講義を依頼する依頼データを受付け、受付けた依頼データを管理者の端末から受信し、受信した依頼データに基づいて、講義担当費を決定する。
【００１３】
したがって、（２）の発明によれば、管理者の端末から、講義に関する依頼データを受信した実務家に対してのみ、講義担当費を算出しておき、この実務家が広告情報の希望に関するデータを送信した場合には、この講義担当費を予め決定していた実務家の所持金データを算出することが可能である。
【００１４】
（３）（１）又は（２）に記載の情報提供サーバに加えて、さらに、前記実務家端末が、前記希望に関するデータとともに広告情報データを受付けて、受付けた広告情報データを、前記受信部が、前記実務家端末から受信したことに応じて、前記広告情報データを、前記視聴者の端末から閲覧可能に記憶する広告情報データ記憶部を備える、情報提供サーバを提供する。
【００１５】
（３）の情報提供サーバによれば、（１）、（２）の作用に加えて、実務家端末が、希望に関するデータとともに広告情報データを受付けて、受付けた広告情報データを、実務家端末から受信したことに応じて、広告情報データを、視聴者の端末から閲覧可能に記憶する。
【００１６】
したがって、（３）の発明によれば、実務家から受付けた広告情報データを、視聴者の端末から閲覧可能とすることができる。すなわち、広告情報を提示した実務家は、例えば、講義の内容を宣伝することが可能となり又は、視聴者に対する知名度を向上させることが可能である。
【００１７】
（４）実務家が使用する実務家端末と、前記実務家による講義を予め撮影した動画の視聴を希望する視聴者の端末と、通信可能に接続され、前記視聴者の端末に動画を提供する情報提供サーバが実行する方法であって、
前記実務家に関する講義の動画データと、前記実務家のユーザデータと、前記実務家の講義を担当した対価に相当する講義担当費と、を互いに関係付けて記憶するステップと、
前記実務家端末が、前記視聴者の端末に表示させる当該実務家の広告情報の希望を受付け、前記実務家端末が広告情報の希望に関するデータを前記情報提供サーバに送信したことに応じて、前記広告情報の希望に関するデータを受信するステップと、
受信した前記希望に関するデータに基づいて、前記広告情報の希望に対応する広告情報費を算出するステップと、
該当する一の実務家の講義担当費から、算出した広告情報費を減算することで、前記一の実務家の所持金を算出するステップと、
前記算出した当該所持金のデータを記憶するステップと、
前記記憶するステップにて記憶した所持金のデータを、前記実務家端末からの要求に応じて、該当する実務家端末に送信するステップと、
を備える、方法。
【００１８】
（４）の発明によれば、（１）と同様の作用、効果を奏する。当該方法は、各ステップとして記述されたプログラムを構成することが可能であり、コンピュータに、当該プログラムをインストールして、そのコンピュータを１以上のサーバ装置として動作させることにより上記で説明した機能を実現することもできる。
【発明の効果】
【００１９】
本発明によれば、受講希望者（視聴者）に通信回線を介して講義を提供する情報提供サーバにおいて、講義を行う実務家が、自ら実施した講義の講義担当費や、自らの広告情報についての広告情報費の管理の利便性を高められることから、講義を行う実務家にとってメリットのある情報提供サーバを提供することができる。すなわち、この広告情報に関する費用と、実務家の講義による講義担当費とから、実務家の所持金のデータを算出することが可能である。
【発明を実施するための最良の形態】
【００２０】
以下、本発明の実施形態について、図面に基づいて説明する。
【００２１】
［システムの全体構成］
図１は、本発明の好適な実施形態に係るコンピュータ・システム１の全体構成、およびその中心的役割を果たす、サーバ１００の機能ブロックを示した図である。このシステムでは、視聴者端末１０、実務家端末５０、サーバ１００及び、管理者端末２００が通信ネットワーク３０を介して接続されている。ここで、視聴者端末１０の数、実務家端末５０の数には特に制限はない。さらに、視聴者端末１０、実務家端末５０はインターネット等の通信回線に接続可能な端末であれば、コンピュータ端末、携帯電話、ＰＤＡ（Ｐｅｒｓｏｎａｌ  Ｄａｔａ  Ａｓｓｉｓｔａｎｔ）、ゲーム機等の様々な端末で実現してよい。
【００２２】
サーバ１００は、少なくとも外部端末とのデータの送受信を可能とする通信部１１０と、データの制御、演算を行う制御部１２０と、データの記憶を行う記憶部１３０とから構成される。サーバ１００は、例えば、ＷＥＢサーバであってよい。
【００２３】
通信部１１０は、専用ネットワークまたは公共ネットワークを介して端末と接続できるようにするためのネットワーク・アダプタであってよく、モデム、ケーブル・モデムおよびイーサネット（登録商標）・アダプタを含んでよい。制御部１２０は、ＣＰＵ（Ｃｅｎｔｒａｌ  Ｐｒｏｃｅｓｓｉｎｇ  Ｕｎｉｔ）（マルチプロセッサ構成では複数のＣＰＵにより処理が行われてもよい）であってよい。記憶部１３０は、半導体メモリ、ハードディスク、光学ディスクドライブであってよい。
【００２４】
視聴者端末１０は、講義を予め撮影した動画の視聴を希望する視聴者が使用する端末であって、サーバ１００が提供する講義内容を、通信回線を介して視聴者が視認するための端末である。実務家端末５０は、サーバ１００が提供する講義を行う実務家が、コンピュータ・システム１を利用するための端末である。管理者端末２００は、コンピュータ・システム１を管理するための端末である。これらの端末は、各々、サーバ１００と同様に、通信部、制御部、記憶部を備えることに加えて、通常のコンピュータ端末が備える、入力部、表示部を備える。入力部とは、例えば、キーボード、マウスであってよいし、表示部は、データの入力を受け付ける画面を表示したり、演算処理結果の画面を表示したりするものであり、ブラウン管表示装置（ＣＲＴ）、液晶表示装置（ＬＣＤ）等のディスプレイ装置であってよい。
【００２５】
視聴者端末１０、実務家端末５０、管理者端末２００は、例えば、サーバ１００のようなＷＥＢサーバにアクセス可能であり、ＷＥＢブラウザの機能を備え、ＷＥＢブラウザ等のアプリケーションを介して、サーバ１００に記憶されたデータを視聴可能であり、また、ＷＥＢブラウザ等のアプリケーションを介して、各端末から入力したデータをＷＥＢサーバに送信可能である。
【００２６】
［システムの基本処理］
図２は、コンピュータ・システム１により行われるサーバ１００から各端末への情報提供についての基本的な概要を説明する図である。まず、視聴者端末１０、実務家端末５０のいずれかの端末が、ＷＥＢブラウザを介してサーバ１００にアクセスし、システムＴＯＰ画面６０を各端末１０、５０の表示部に表示する。ここで、図２で説明する以下の画面イメージは、サーバ１００が各端末１０、５０からの要求に応じて、対応するデータを対応する端末１０、５０に送信し、この対応するデータを受信した各端末１０、５０が表示した画面イメージである。
【００２７】
次に、各端末１０、５０が、それぞれ次の画面へリンクするためのリンクアイコン６１と、実務家ログイン６２の画面を表示し、システムＴＯＰ画面６０を視認した視聴者又は実務家が各端末の入力部を介してこれらのアイコンを選択したことに応じて、次の画面へと遷移する。
【００２８】
例えば、リンクアイコン６１が選択されたことに応じて、サーバ１００は、今月の注目講義に関する画面７０を視聴者端末１０に表示させるために、対応したデータを視聴者端末１０に送信する。一方、実務家アイコン６２が選択されたことに応じて、サーバ１００は、実務家ログイン８５を実務家端末５０に表示させるために、対応したデータを実務家端末５０に送信する。
【００２９】
視聴者端末１０からサーバ１００にアクセスした場合について説明する。
【００３０】
今月の注目講義に関する画面７０は、コンピュータ・システム１のサービス提供者が薦める講義や、その講義の内容、講義を行う実務家の情報から構成され、特に、後述する広告情報データとして実務家から入力された講義ＰＲ文７１と、講義を視聴するかを視聴者が選択するためのアイコン７２とを含む。視聴者は、このように今月の注目講義の情報を視認するとともに、講義を行う実務家が自ら入力した講義のＰＲ文を視認することができるため、実務家にとっては効果的な宣伝広告を行うことが可能である。視聴者が、アイコン７２を選択することで、視聴者ログイン画面７５にリンクする。
【００３１】
視聴者ログイン画面７５は、視聴者のログインＩＤ７６、パスワード７７（ユーザデータ）を受付ける画面構成であり、ログイン・アイコン７８が選択されることで、当該視聴者が視聴する講義の講師（実務家）のプロフィール画面８０を表示する。
【００３２】
プロフィール画面８０は、講義を行う実務家（講師）のプロフィールに関する情報と、関連したＵＲＬ８１の情報とから構成されてよい。このＵＲＬ８１は、後述するように、実務家からＵＲＬ入力９３として入力を受け付けて、実務家から入力されたＵＲＬ情報であってよい。このような構成により、実務家は視聴者に対して、自らの情報が記載されたＵＲＬに関する情報を、視聴者に周知させることが可能となる。
【００３３】
プロフィール画面８０から、視聴者の入力等に基づいて、視聴するとして選択された講義の動画９５が、表示される。サーバ１００は、講義に対応した動画データを視聴者の端末１０に送信することで、視聴者端末に講義９５を表示し、視聴者が講義を視聴することが可能となる。この際に、講義の動画とともに、プロフィール画面８０でも表示されたＵＲＬ９６（すなわち、実務家から広告文入力として入力を受け付けたＵＲＬ）が、適宜、視聴者端末１０に表示される態様であってもよい。また、実務家端末５０からＵＲＬの入力を受けた場合には、講師プロフィール８０から、実務家のＷＥＢページへのリンクが作成され、講師プロフィール８０から実務家のＷＥＢページへアイコンによりリンクさせる構成としてもよい。この場合には、視聴者は、講義を視聴して関心が高まった実務家の詳細な情報を、実務家のＷＥＢページにアクセスすることで、取得することが可能となる。
【００３４】
次に、実務家端末５０がサーバ１００にアクセスした場合について説明する。
【００３５】
実務家ログイン画面８５は、実務家のログインＩＤ８６、パスワード８７（ユーザデータ）を受付ける画面構成であり、広告希望アイコン８８が選択されることで、当該実務家が希望する広告文の入力を促す画面８５を表示する。ここで、実務家のログインＩＤ８６、パスワード８７を受付ける処理の後に、実務家設定画面９０へ移るかの希望（広告情報の入力の希望）を受付けるアイコンが表示され、当該アイコンが選択されることで、実務家設定画面９０を実務家端末５０に表示してもよい。
【００３６】
実務家ログイン画面８５を経て、実務家がログインした後に実務家設定画面９０を実務家端末５０に表示する。実務家設定画面９０は、実務家から講義のＰＲ文（広告情報）の入力を受付ける講義ＰＲ文９１と、講義の希望文の入力を受付ける講義希望文９２と、ＵＲＬの入力を受付けるＵＲＬ９３とを備える。
【００３７】
実務家端末から、実務家が実施する講義等のＰＲ文となる講義ＰＲ文（広告情報）９１を受付け、この広告情報を広告情報データとして、サーバ１００が、視聴者端末１０からのアクセスに対して、今月の注目講義画面７０として表示されるように、閲覧可能に記憶する。広告情報データを、ＰＲ文として、視聴者端末１０に表示した画面が、今月の注目講義に関する画面７０である。
【００３８】
さらに、実務家端末５０から、ＵＲＬ９３（Ｕｎｉｆｏｒｍ  Ｒｅｓｏｕｒｃｅ  Ｌｏｃａｔｏｒ）の入力を受付けてもよい。すなわち、実務家端末５０から、実務家が所有するＷＥＢページ等のＵＲＬ９３の入力を受付け、サーバ１００が広告情報データとして、講師プロフィール画面８０に表示されるように、視聴者端末１０に対して閲覧可能に記憶する。また、例えば、実務家が講義中に、「私のサイトにアクセスしてください」などと自らのＵＲＬ等のアドレスを告知することで、視聴者が、講義の動画７５を視聴した後に、視聴者端末１０により自発的にＵＲＬ等のアドレスにより、アクセスする態様であってよい。
【００３９】
このように、実務家のＰＲ文が広告情報として、視聴者端末１０に表示されるため、実務家は、自らの講義や業務の宣伝を、視聴者に対して行うことが可能である。
【００４０】
上記実施例に関連して、端末１０、５０に画面８０、画面９０を表示するにあたっての他の実施態様について説明する。仮に、視聴者や実務家が、過去にこのサーバ１００にログインしている場合には、各端末１０、５０のＷＥＢブラウザ又はサーバ１００がログインした者の固有識別番号（ＩＰアドレスなど）を記憶しておくことで、アクセスされた者が視聴者か実務家であるかを判断してもよい。この場合には、端末１０、５０からの選択入力を受けなくとも、システムＴＯＰ画面から、視聴者ログイン７５、実務家ログイン８５を経て、講師プロフィール８０、実務家設定画面９０をそれぞれ表示してもよいし、端末１０、５０からのＩＤ等の入力を受けなくとも、講師プロフィール８０、実務家設定画面９０をそれぞれ表示してもよい。
【００４１】
［サーバの基本処理］
図３は、サーバ１００が実行する処理を説明するフローチャートである。最初に、サーバ１００は、実務家端末５０から送信される広告情報の希望に関するデータの受信を受付ける（ステップＳ１０１）。広告情報の希望に関するデータを受信した場合（ステップＳ１０１：ＹＥＳ）には、実務家端末から、希望に関するデータとあわせて、広告情報やＵＲＬのデータを含んだ広告情報データを受信する（ステップＳ１０２）。広告情報の希望に関するデータを受信しなかった場合（ステップＳ１０１：ＮＯ）には、その後の処理を行わない。
【００４２】
次に、サーバ１００は、実務家端末５０から受信した広告情報データに基づいて広告情報費を算出する（ステップＳ１０３）。サーバ１００は、図４に示す広告情報データテーブルを参照して、広告情報費を算出する。例えば、実務家がＰＲ文を２００ワード入力した場合には、書式Ａに該当するため、広告情報費が２０，０００円であると算出される。
【００４３】
次に、サーバ１００は、講義担当費から広告情報費を減算し（ステップＳ１０４）、所持金の算出、記憶を行う（ステップＳ１０５）。
【００４４】
ここで、講義担当費について説明する。講義担当費とは、講義を担当した対価に相当する費用である。図５の実務家データテーブルに示すように、実務家データは、実務家ユーザデータと講義データとが関係付けられて構成されており、実務家ユーザデータは、実務家の名前、ＩＤ、分野、所属に関するデータを含み、図示していないが、パスワードに関するデータを含んでいてもよい。講義データは、講義名と当該講義に対応する動画データの名前と、対応する講義の講義担当費に関するデータを含む。
【００４５】
例えば、図５によれば、実務家である山田太朗の講義担当費は、講義Ａ〜Ｅの合計として、６６，５００円である。これに対して、広告情報費が、書式Ａであることから、２０，０００円であるとすると、講義担当費から広告情報費を減じて、所持金を４６，５００円と算出する。
【００４６】
最後に、サーバ１００は、所持金のデータを実務家端末５０に送信する（ステップＳ１０６）。所持金のデータを実務家端末５０に送信する際には、実務家端末５０からデータの要求があったことに応じて、送信する。例えば、図６にて説明するように、サーバ１００は、実務家端末５０からサーバ１００に対するアクセスに応じて、サーバ１００が実務家端末５０に所持金のデータを送信する。
【００４７】
図６に、実務家管理画面１０１の画面イメージ図を示した。実務家管理画面１０１は、実務家（山田太朗）が、実務家ログインにてサーバ１００にアクセスし、自らの本システムに登録された情報や、講義に関する情報及び、所持金についてのステータスを確認する画面である。すなわち、図示したように、実務家管理画面１０１は、実務家のユーザデータの一部と、サーバ１００から受信した所持金のデータから構成される。
【００４８】
このように、実務家端末５０を介して、実務家は、本システムに関するステータスを確認することが可能であり、この際に、自らの講義担当費１０２、広告情報費１０３、所持金のデータ１０４を視認することが可能である。
【００４９】
［他の実施例］
図７は、サーバ１００が実行する講義担当費の算出処理のフローチャートである。サーバ１００は、管理者端末２００から、講義の依頼データを受信する（ステップＳ２０１：ＹＥＳ、Ｓ２０２）。管理者端末２００から、講義の依頼データを受信しない場合には、その後の処理を行わない。ここで、管理者端末２００は、所定の実務家の講義のリクエストを行うための端末であって、講義の依頼データをサーバ１００に送信する。依頼データを受信したサーバ１００は、講義に対応した講義担当費を決定し、記憶する（ステップＳ２０３）。ここで、講義担当費の決定は、依頼データに講義担当費が含まれていることで、管理者端末２００から受信してもよいし、依頼データと講義担当費が対応づけられたテーブルを参照することで、決定されてもよい。
【００５０】
なお、本実施例では、実務家がサーバ１００を利用する態様として、広告情報を視聴者に提供することで、広告情報費を徴収する態様であるが、このような広告の利用に限定されずに、その他のサービスを利用することで、実務家から費用を徴収する態様であってよい。例えば、実務家が自らのＰＲのための動画をサーバ１００から提供するとした場合に、動画サービス利用費として、実務家から費用を徴収する態様であってよい。
【００５１】
上記の実施例に加えて、管理者が管理者端末２００を介して、依頼データを多数送信することで、多数の講義を提供する実務家に対しては、実務家からの広告情報の掲載の希望を待つことなく、自動的に視聴者に対して広告情報を提供する構成としてもよい。例えば、サーバ１００は、実務家から予め実務家のＷＥＢページに対応するＵＲＬのデータを記憶しておき、この実務家の講義担当費が所定の上限を超えたかを判断して、所定の上限を超えたと判断した場合には、この実務家のＵＲＬに基づくＷＥＢページを、講義を視聴した視聴者端末１０に表示するとした構成としてもよい。
【００５２】
上記の実施例の場合には、頻繁に視聴されている講義を担当する実務家の情報が、実務家の負担が全くなく視聴者に提供されるため、視聴者の利用に貢献している実務家にとって、特に、メリットのあるシステムを提供することが可能である。
【００５３】
このような実施形態を実現するサーバ１００を、コンピュータやサーバにて実行するためのプログラムにより実現することができる。このプログラムのための記憶媒体としては、光学記憶媒体、テープ媒体、半導体メモリ等が挙げられる。また、専用通信ネットワークやインターネットに接続されたサーバ・システムに設けられたハードディスク又はＲＡＭ等の記憶装置を記憶媒体として使用し、ネットワークを介してプログラムを提供してもよい。
【００５４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００５５】
【図１】本発明の好適な実施形態に係るシステム構成を示すブロック図である。
【図２】本発明の好適な実施形態に係る各端末に表示される画面イメージを示す図である。
【図３】本発明の好適な実施形態に係るサーバが実行する処理のフローチャートを示す図である。
【図４】本発明の好適な実施形態に係る広告情報データテーブルを示す図である。
【図５】本発明の好適な実施形態に係る実務家データテーブルを示す図である。
【図６】本発明の好適な実施形態に係る実務家管理画面を示す図である。
【図７】本発明の好適な実施形態に係るサーバが実行する処理のフローチャートを示す図である。
【符号の説明】
【００５６】
１  コンピュータ・システム
１０  視聴者端末
３０  通信ネットワーク
５０  実務家端末
１００  サーバ
１１０  通信部
１２０  制御部
１３０  記憶部
２００  管理者端末
【図１】
2008090478.tif 000003
【図２】
2008090478.tif 000004
【図３】
2008090478.tif 000005
【図４】
2008090478.tif 000006
【図５】
2008090478.tif 000007
【図６】
2008090478.tif 000008
【図７】
2008090478.tif 000009